(57)【要約】【課題】本発明は１台でデスクトップ機としてもモバイル機としても使用できる拡大読書器システムを提供する。【解決手段】読取対象物を撮影し記録・再生するカメラ部１と、読取対象物を載置する載置台２と、前記カメラ部１で撮影された映像を表示する外部モニタ部３からなる拡大読書器システムにおいて、前記カメラ部１を着脱可能とし、撮影された映像を前記カメラ部１に内蔵したカメラモニタ部に表示可能とすると共に、前記外部モニタ部３と接続することにより更に拡大表示および広範囲表示が可能となる。【選択図】図１
2009253712.tif 000002
【特許請求の範囲】
【請求項１】
読取対象物を載置する載置台と、読取対象物を撮影し記録・再生するカメラ部と、このカメラ部で撮影された映像を表示する外部モニタ部からなる拡大読書器システムにおいて、前記カメラ部を着脱可能とするとともに、このカメラ部にはカメラモニタ部を一体に設けた拡大読書システム。
【請求項２】
前記カメラ部と前記外部モニタ部を電気的に接続するクレードル部を有することを特徴とする請求項１に記載の拡大読書器システム。
【請求項３】
前記クレードル部が前記カメラ部のレンズ光軸を前記戴置台の表面に対して略垂直になるように前記カメラ部を保持することを特徴とする請求項１または２に記載の拡大読書器システム。
【請求項４】
前記クレードル部に前記カメラ部を装着すると、前記戴置台上の読取対象物に自動的にピントが合うことを特徴とする請求項１から３のいずれか一つに記載の拡大読書器システム。
【請求項５】
前記クレードル部に前記カメラ部を装着すると、前記カメラ部に内蔵された二次電池に充電が可能となることを特徴とする請求項１または２に記載の拡大読書器システム。
【請求項６】
前記カメラ部が、映像を内蔵した前記カメラモニタ部に表示する際、拡大、縮小、カラーモード切替、スクロール、ブックマークの指定並びにブックマーク位置への移動等の機能を有することを特徴とする請求項１に記載の拡大読書器システム。
【請求項７】
前記クレードル部に前記カメラ部を装着し、映像を前記外部モニタ部に表示する際、拡大、縮小、カラーモード切替、スクロール、ブックマークの指定並びにブックマーク位置への移動等の操作を行うコントローラを有することを特徴とする請求項１から４に記載の拡大読書器システム。
【請求項８】
前記クレードル部の下面（載置台に対向する面）に読取対象物を照明するための光源を有することを特徴とする請求項１から３に記載の拡大読書器システム。
【発明の詳細な説明】
【技術分野】
【０００１】
本発明は視覚障害者用の拡大読書器システムに関するものである。
【背景技術】
【０００２】
従来の拡大読書器は、その形態でデスクトップ機とモバイル機に大きく分類される。デスクトップ機は大きく重いため、設置した場所に読取対象物を移動しなければならないが、付属の大型モニタに映し出せるので見やすいという利点がある。ビデオカメラ用レンズを採用したもので、読取対象物が分厚い書籍の場合は、読取対象物を載置台に載せた際にカメラの焦点距離が長すぎて合焦しないため載置台を下げる工夫をしているものがある。（例えば、特許文献１参照。）
一方、モバイル機は軽くて小さく、携帯できるので読取対象物のある場所に移動させて使用することが容易であり、通常電子ルーペと呼ばれるもので虫眼鏡と同様にリアルタイムで使用するが、画像を記録できるものもある。読取対象物の上に置いてなぞって使用するため、完全密着型二次元イメージセンサを採用しているものがある。（例えば、特許文献２参照。）
【特許文献１】特開平１１−１４９２５８号公報
【特許文献２】特開平６−１７５５９０号公報
【発明の開示】
【発明が解決しようとする課題】
【０００３】
従来の拡大読書器では、デスクトップ機は据置型で設置場所が固定されるため移動困難な読取対象物には対応できず、一方モバイル機は携帯性がよいので任意の場所で使用可能となるが、表示画面が小さいため見づらく一定以上の拡大表示もできず、更には完全密着型二次元イメージセンサを使用しているため一定距離以上離れた読取対象物の表示ができないという課題を有していた。したがって、両方の機器を必要とするユーザーは、両方購入しなければならないという課題があった。本発明は、１台でデスクトップ機としてもモバイル機としても使用できる拡大読書器システムを提供することを目的とする。
【課題を解決するための手段】
【０００４】
従来の課題を解決するために、本発明の拡大読書器システムは、読取対象物を載置する載置台と、読取対象物を撮影し記録・再生するカメラ部と、前記カメラ部で撮影された映像を表示する外部モニタ部からなる拡大読書器システムにおいて、前記カメラ部を着脱可能とするとともに、カメラ部にはカメラモニタ部を一体に設けたことを特徴としたものである。
【発明の効果】
【０００５】
本発明によれば、１台でデスクトップ機としてもモバイル機としても使用できる、読取対象物や使用状況を選ばない拡大読書器システムを提供することができる。
【発明を実施するための最良の形態】
【０００６】
以下に、本発明の拡大読書器システムの実施の形態を図面と共に詳細に説明する。
【０００７】
（実施の形態１）
図１は、本発明の実施の形態における拡大読書器システムの後方斜視図を示すものである。図１において、カメラ部１はモバイル機として使用できるように読取対象物を載置する載置台２の上部に位置するクレードル部２０１から簡単に取り外しができ、デスクトップ機として使用時は、クレードル部２０１に装着して使用する。クレードル部にカメラ部を装着すると載置台上の読取対象物に自動的にピントが合う。１７インチ程度の外部モニタ３（ＶＥＳＡマウントインターフェイス規格対応品） を取り付けたフレキシブルアーム４（ここではＥＲＧＯＴＲＯＮ社  ＬＸ Ｄｅｓｋ Ｍｏｕｎｔのアーム部を選定）は、読取対象物を載置する載置台２の後方上部に設置したアームポスト２０２に連結させる。外部モニタ３の信号ケーブルは、読取対象物を載置する載置台２の後方の支柱部２０４の背面に設置したＤ−ＳＵＢ端子２０７と接続する。コントローラ５は、ＵＳＢケーブル５０７を有するもので同様に支柱部２０４の背面の設置したＵＳＢ−Ａ端子２０６と接続する。
【０００８】
続いて、このシステムを構成するそれぞれ個々の機器を説明する。図２・図３は、カメラ部１のカメラモニタ部１０３側斜視図・カメラ部１のレンズ１１３側斜視図を示すものである。図２・図３において、カメラ部１は、合焦範囲１０ｍｍから無限大のレンズ１１３と、７００万画素の撮像素子（図示せず）と、デスクトップ機として使用する時に載置台２上に載せた最大Ａ４サイズの読取対象物を１０枚程度記録できる容量のメモリー（図示せず）と、接写時の読取対象物の照明用ＬＥＤ１１４を備える。ドッキングコネクタ１１１は、クレードル部２０１に設置したドッキングコネクタ（図７の２１５）と接続するものでドッキングの作業性を考慮してカメラ部１の長手方向の中央に配置する。ＤＣ−ＩＮコネクタ１０８は、内蔵電池の充電する際、または外部電源で駆動させる際に専用のＡＣアダプタと接続する。
【０００９】
以下、各操作キーの機能説明を行う。スクロールキー１０１は、再生モードで記録画像を上下左右にスクロールさせ、更に記録画像の切替表示を行う。また、メニュー画面ではモードを選択し、決定も行う。従って、このキーは、上下左右の４方向の操作をするキーで、決定キーは右方向キーで行う。記録／再生キー１０２は、記録モードと再生モードを切り替える。
【００１０】
メニューキー１０４は、照明のオン／オフ、画像の回転、スクロールの速度調整、記録画像の削除、画面の明るさ、カラーモードのレベル、設定リセット（初期化）等のメニューを順次切替表示する。カラーモード切替キー１０５は、ユーザーが見やすい画面に設定するため、白黒反転や黄黒表示等を選択できるように画面のカラーモードを切替える。マクロ／ノーマル切替キー１０６は、記録モードでマクロモードとノーマルモードを切替える。電源ＯＮ／ＯＦＦキー１０７は、電源をオン／オフする。
【００１１】
拡大／縮小キー１０９は、記録／再生モードで画面を拡大／縮小させる。リターンキー１１０は、再生モードで設定したブックマーク位置に画面を戻す。画像取込キー１１２は、記録モードでは画像を記録し、再生モードではブックマーク位置を設定する。更に、記録した画像の再生時には、カメラ部１を両手でしっかり保持してキー操作ができるようにグリップ１１５を設ける。また、読取以外に筆記に使用する際には、カメラ部１の長手方向の両端のどちらか一方を手で押さえ込むと斜めに傾けて固定できるように筆記サポート用斜面１１６を設けている。
【００１２】
図４は、筆記に使用するときのスタイル図を示すものである。図４において、ユーザー６は、カメラ部１の長手方向の両端のどちらか一方を手で押さえ込むことにより、カメラ部１を安定して傾けることで筆記のサポートを可能にする。
【００１３】
図５・図６・図７は、それぞれ読取対象物を載置する載置台２の後方斜視図・載置台２のクレードル部２０１の上後方斜視図・載置台２のクレードル部２０１の下前方斜視図を示すものである。
【００１４】
図５において、カメラ部１のレンズ光軸を前記図１の戴置台２の表面に対して略垂直になるようにカメラ部１を保持するクレードル部２０１は、堅牢な構造物の支柱部２０４で戴置台２の下に設置したベース台２１０と連結させる。なお、戴置台２は、戴置台Ｘ２０８と戴置台Ｙ２０９から構成し、それぞれ左右、前後に可動するものが望ましい。
【００１５】
図６において、電源ＯＮ／ＯＦＦキー２１２は、カメラ部１をクレードル部２０１に装着してデスクトップ機として使用する際の電源のオン／オフを行うキーで、このときは、図２のカメラ部１の電源ＯＮ／ＯＦＦキー１０７は、クレードル部２０１の筐体に覆われて操作できない。図７において、クレードル部２０１の下面（載置台２に対向する面）に読取対象物を照明するための光源２１６を４個配置し、図６に示す照明用ＬＥＤ  ＯＮ／ＯＦＦキー２１４は、左右に配置し、たとえば右をＯＮすれば右側の光源を２個点灯させる。これは読取対象物を手で持って読取る場合に手暗がりになることを防止するためである。当然、読取対象物を載置台２に載せる場合は、光源を４個点灯させて使用できる。また、ドッキングコネクタ２１５は、カメラ部１とのドッキングの作業性を考慮してクレードル部２０１の中央奥部に配置する。図６において、マグネット２１３は、デスクトップ機として使用する時、カメラ部１をクレードル部２０１に装着すれば自動的にピントの合った画像撮影を可能にするモードに切り替えるためカメラ部１の内部に設置しているセンサーにて検知させるものである。
【００１６】
更に、カメラ部１のみでモバイル機として使用する際は、照明用ＬＥＤ１１４を点灯させるが、クレードル部２０１に装着した際つまりデスクトップ機として使用する際には、クレードル部２０１の下部に設置した照明用ＬＥＤ２１６を使用するため、カメラ部１の照明用ＬＥＤ１１４は、自動的に使用しないモードに切り替える。以下、その方法について説明する。
【００１７】
図１６は、ＭＲセンサーによるモード切替方法を説明するブロック図を示すものである。図１６において、カメラ部１をクレードル部２０１に装着する際、カメラ部１の内部に設置したＭＲセンサーが、クレードル部２０１に設置したマグネット２１３を検知するとその信号をマイコンへ送る。マイコンポートで検知信号を確認するとレンズユニットを最適撮影モードに自動的に設定させる。同様に、カメラ部１側照明からクレードル部側照明に自動的に切り替える。ところでクレードル部へのカメラ部１装着の検知方法としては、レバー式の検知スイッチをクレードル部２０１に設置してカメラ部１に設置した突起で検知スイッチのレバーを押す方式も可能である。
【００１８】
図８は、コントローラ５の操作面側の斜視図を示すものである。図８において、スクロールキー５０１は、再生モードで記録画像を上下左右にスクロールさせ、更に記録画像の切替表示を行う。また、メニュー画面ではモードを選択し、決定も行う。従って、このキーは、上下左右の４方向の操作をするキーで、決定キーは右方向キーで行う。記録／再生キー５０２は、記録モードと再生モードを切り替える。メニューキー５０３は、照明のオン／オフ、画像の回転、スクロールの速度調整、記録画像の削除、画面の明るさ、カラーモードのレベル、設定リセット（初期化）等のメニューを順次切替表示する。カラーモード切替キー５０４は、ユーザーが見やすい画面に設定するため、白黒反転や黄黒表示等を選択できるように画面のカラーモードを切替える。拡大／縮小キー５０６は、記録／再生モードで画面を拡大／縮小させる。リターンキー５０８は、再生モードで設定したブックマーク位置に画面を戻す。画像取込キー５０５は、記録モードでは画像を記録し、再生モードではブックマーク位置を設定する。操作キーは、操作性を考慮してカメラ部１と同じ配置が好ましいが、ＵＳＢケーブルを採用しキー数が合うゲーム機用のコントローラを採用することも可能である。
【００１９】
図９・図１０は、それぞれ外部モニタ３の左右方向の可動範囲を示す拡大読書器システムの平面図・外部モニタ３の上下方向の可動範囲を示す拡大読書器システムの側面図を示すものである。１７インチ程度の外部モニタ３は、重量が５Ｋｇ前後と重く、デスクトップ機として使用する場合は、読取対象物を載置する載置台２全体の安定性を保つことが安全上重要である。更にカメラ部１の手前に外部モニタ３が配置されるため、カメラ部１の着脱性を考慮して、フレキシブルアーム４の可動範囲を必要最小限におさえる必要がある。ここでは可動範囲を左右方向は３０度、上下方向は上１５度から５０度までの３５度に制限する。以下その制限の方法を説明する。
【００２０】
図１１は図１０のフレキシブルアーム根元部Ａ部とアームポスト周辺部品の組立順序を示す斜視図である。
【００２１】
図１１において、図５の支柱部２０４の上部に設置されたアームポスト２０２に、スペーサ２１８、アームホルダ２０３、フレキシブルアーム４を順に組み込む。フレキシブルアーム４の突起２０３ｂがアームホルダ２０３の穴２０３ａと嵌合するのでフレキシブルアーム４が左右に３０度回転するとアームホルダ２０３も一緒に回転する構造になる。
【００２２】
図１２は、図１０のＢ−Ｂ断面図を示すものである。図１２において、アームホルダ２０３はフレキシブルアーム４が左右に３０度回転すると同じく３０度回転するのでアームホルダ２０３のＣ部がピン２１９に当接し、これ以上の回転を阻止するのでフレキシブルアーム４の左右方向の可動範囲はそれぞれ３０度に制限可能となる。材質は、図１１のスペーサ２１８は焼付き防止のため樹脂（例えば、ＰＯＭ、ナイロン）、アームホルダ２０３は形状を考慮してアルミダイカストが好ましい。
【００２３】
図１３は、フレキシブルアーム４が上１５度位置のときの図９のＣ断面図を示すものである。ＥＲＧＯＴＲＯＮ社  ＬＸ Ｄｅｓｋ Ｍｏｕｎｔのフレキシブルアーム４は、アーム本体に組み込まれたローラーＥ部が、アームベースに設けられたカム形状Ｇ部に沿って可動し、カム形状Ｇ部の両端でローラーＥ部の動きが制限される構造になっている。図１３において、フレキシブルアーム４が上１５度の位置より下がろうとするとローラーＥ部がアームホルダ２０３のＦ部に当接してこれ以上の回転を阻止するのでフレキシブルアーム４の下方向の可動範囲は上１５度に制限可能となる。
【００２４】
図１４は、フレキシブルアーム４が上５０度位置のときの図９のＣ断面図を示すものである。図１４において、フレキシブルアーム４に組み込まれたローラーＥ部がアームベースのカム形状Ｇ部の上端のストッパーに当接してこれ以上の回転を阻止する。そのときの角度が５０度になっており、この角度ならば安全上制限をかける必要はない。ところで、このフレキシブルアーム４の可動範囲は前記範囲に限定するものではなく、載置台２の大きさや重量によって安全性（転倒防止等）を考慮して決定するものである。
【００２５】
図１５は、カメラ部１をクレードル部２０１に装着開始時の上方向斜視図を示すものである。図１５において、カメラ部１をクレードル部２０１に載せて矢印ａ方向（クレードル部２０１に平行）に押し込みドッキングコネクタ同士を接続させる。このとき、図６に示すカメラガイド２１１のよりドッキングコネクタ同士が平行に接続できるようにカメラ部１の筐体を規制することができる。逆にカメラ部１を取り外す際は、図７の開口部２１７からカメラ部１のカメラモニタ部１０３側とレンズ１１３側を掴んで矢印ａ方向と反対方向に引き出すことで取り出せる。
【００２６】
カメラ部１をクレードル部２０１に装着して図６に示す電源ＯＮ／ＯＦＦキー２１２をＯＦＦに切り替えるとカメラ部１に内蔵している二次電池を充電できる。また、カメラ部１を取り出しモバイル機として使用時も専用の外部電源（ＡＣアダプタ）を図３に示すＤＣ−ＩＮコネクタ１０８に接続して、電源ＯＮ／ＯＦＦキー１０７をＯＦＦにすることで二次電池を充電できる。どちらもＯＮに切り替えることで充電を中止して、拡大読書器に電源供給する。
【００２７】
以下、その詳細説明を加える。図１７は、ＡＣアダプタの接続に関するブロック図を示すものである。まず仕様１は、カメラ部１をクレードル部２０１に装着した状態で、ＡＣアダプタ３００のＤＣプラグ３０１を支柱部２０４の背面に設置したＤＣ−ＩＮコネクタ２０５に接続するとカメラ部１とクレードル部２０１は、双方のドッキングコネクタ図２の１１１と図７の２１５が接続しているから電気的接点を介してカメラ部１の電源回路に電源供給が可能となる。仕様２は、ＡＣアダプタ３００のＤＣプラグ３０１をカメラ部１のＤＣ−ＩＮコネクタ１０８に直接接続するのでそのまま電源回路３０２に電源供給できる。カメラ部１をクレードル部２０１に装着している状態では、カメラ部１のＤＣ−ＩＮコネクタ１０８はクレードル部２０１の筐体で覆われるのでカメラ部１のＤＣ−ＩＮコネクタ１０８にはＡＣアダプタのＤＣプラグは物理的に接続できない。
【産業上の利用可能性】
【００２８】
本発明に係る拡大読書器システムは、１台でデスクトップ機としてもモバイル機としても使用できる、読取対象物や使用状況を選ばない拡大読書器システムとして有用である。
【図面の簡単な説明】
【００２９】
【図１】拡大読書器システムの実施形態の後方斜視図
【図２】カメラ部のカメラモニタ部側斜視図
【図３】カメラ部のレンズ側斜視図
【図４】筆記に使用するときのスタイル図
【図５】読取対象物を載置する載置台の後方斜視図
【図６】載置台のクレードル部の上後方斜視図
【図７】載置台のクレードル部の下前方斜視図
【図８】コントローラの操作面側の斜視図
【図９】外部モニタの左右方向の可動範囲を示す拡大読書器システムの平面図
【図１０】外部モニタの上下方向の可動範囲を示す拡大読書器システムの側面図
【図１１】図１０のフレキシブルアーム根元部Ａ部とアームポスト周辺部品の組立順序を示す斜視図
【図１２】図１０のＢ−Ｂ断面図
【図１３】フレキシブルアームが上１５度位置のときの図９のＣ断面図
【図１４】フレキシブルアームが上５０度位置のときの図９のＣ断面図
【図１５】カメラ部をクレードルに装着開始時の上方向斜視図
【図１６】ＭＲセンサーによるモード切替説明ブロック図
【図１７】ＡＣアダプタの接続に関するブロック図
【符号の説明】
【００３０】
１  カメラ部
２  載置台
３  外部モニタ
４  フレキシブルアーム
５  コントローラ
６  ユーザー
１０１  スクロールキー
１０２  記録／再生切替キー
１０３  カメラモニタ部
１０４  メニューキー
１０５  カラーモード切替キー
１０６  マクロ／ノーマル切替キー
１０７  電源ＯＮ／ＯＦＦキー
１０８  ＤＣ−ＩＮコネクタ
１０９  拡大／縮小キー
１１０  リターンキー
１１１  ドッキングコネクタ
１１２  画像取込キー
１１３  レンズ
１１４  照明用ＬＥＤ（４個）
１１５  グリップ
１１６  筆記サポート用斜面
２０１  クレードル部
２０２  アームポスト
２０３  アームホルダ
２０４  支柱部
２０５  ＤＣ−ＩＮコネクタ
２０６  ＵＳＢ−Ａ端子
２０７  Ｄ−ＳＵＢ端子
２０８  載置代Ｘ
２０９  載置代Ｙ
２１０  ベース台
２１１  カメラガイド
２１２  電源ＯＮ／ＯＦＦキー  
２１３  マグネット
２１４  証明用ＬＥＤ  ＯＮ／ＯＦＦキー
２１５  ドッキングコネクタ
２１６  証明用ＬＥＤ
２１７  開口部
２１８  スペーサ
２１９  ピン
３００  ＡＣアダプタ
３０１  ＤＣプラグ
３０２  電源回路
５０１  スクロールキー
５０２  記録／再生切替キー
５０３  メニューキー
５０４  カラーモード切替キー
５０５  画像取込キー
５０６  拡大／縮小キー
５０７  ＵＳＢケーブル
５０８  リターンキー
【図１】
2009253712.tif 000003
【図２】
2009253712.tif 000004
【図３】
2009253712.tif 000005
【図４】
2009253712.tif 000006
【図５】
2009253712.tif 000007
【図６】
2009253712.tif 000008
【図７】
2009253712.tif 000009
【図８】
2009253712.tif 000010
【図９】
2009253712.tif 000011
【図１０】
2009253712.tif 000012
【図１１】
2009253712.tif 000013
【図１２】
2009253712.tif 000014
【図１３】
2009253712.tif 000015
【図１４】
2009253712.tif 000016
【図１５】
2009253712.tif 000017
【図１６】
2009253712.tif 000018
【図１７】
2009253712.tif 000019